(57)【要約】【課題】浴槽排水と洗い場排水との双方を処理しつつ、浴槽排水を高速に排水する排水トラップを提供する。【解決手段】洗い場及び浴槽からの排水を集水するトラップ本体と、流入した排水を外部に排水する排水口とを有する排水トラップにおいて、上部に開口し洗い場の排水を導入する流入口と、該流入口から垂下する上下端開放筒状の封水筒と、該封水筒に外嵌遊挿される封水ボウルとを備える洗い場溜水部と、上記トラップ本体側面の上記洗い場溜水部よりも下流側に設けられ、上記浴槽からの排水を送水する浴槽排水管と接続される取水口と、流入した浴槽排水を該取水口から上記排水口へ誘導する浴槽排水流路を形成する浴槽排水部とを備え、より好適には、前記浴槽排水部は、浴槽排水の動圧に付勢されて浴槽排水の前記流路を開放状態に置いて浴槽排水を前記排水口へと誘導し、浴槽排水が終息すると消勢されて浴槽排水流路を閉鎖状態に復帰させる流路開閉機構を備える。【選択図】  図２
2005314997.tif 000002
【特許請求の範囲】
【請求項１】
洗い場からの排水及び浴槽からの排水をそれぞれ別経路で集水するトラップ本体と、流入した排水を外部に排水する排水主管に接続される排水口とを有する排水トラップにおいて、
上部に開口し洗い場の排水を導入する流入口と、該流入口から垂下する上下端開放筒状の封水筒と、該封水筒に外嵌遊挿される封水ボウルとを備える洗い場溜水部と、
上記トラップ本体側面の上記洗い場溜水部よりも下流側に設けられ、上記浴槽からの排水を送水する浴槽排水管と接続される取水口と、流入した浴槽排水を該取水口から上記排水口へ誘導する浴槽排水流路を形成する浴槽排水部と、
を備えることを特徴とする排水トラップ。
【請求項２】
前記浴槽排水部は、浴槽排水の動圧に付勢されて浴槽排水の前記流路を開放状態に置いて浴槽排水を前記排水口へと誘導し、浴槽排水が終息すると消勢されて浴槽排水流路を閉鎖状態に復帰させる流路開閉機構を備え、閉鎖状態において前記浴槽排水管内に排水が滞留する溜水部を形成するとともに前記洗い場排水の逆流を防止することを特徴とする請求項１記載の排水トラップ。
【請求項３】
前記浴槽排水部は、前記浴槽排水流路側面に、該浴槽排水流路内の浴槽排水を流路外へ分流させる分流孔を備えることを特徴とする請求項１記載の排水トラップ。
【請求項４】
前記分流孔は、閉鎖時における前記流路開閉機構の下流側に備えられることを特徴とする請求項３記載の排水トラップ。
【請求項５】
上記浴槽排水部及び前記封水ボウルは、着脱自在に取着されることを特徴とする請求項１から４のいずれかに記載の排水トラップ。
【請求項６】
前記流路開閉機構は、閉鎖時において溜水中に浸漬状態に置かれることを特徴とする請求項２、４及び５のいずれかに記載の排水トラップ。
【発明の詳細な説明】
【技術分野】
【０００１】
本発明は、浴室ユニット等に備えられ、浴槽排水及び洗い場排水の双方をそれぞれ別経路で集水する排水トラップに係り、特に浴槽排水を高速に処理する排水トラップに関する。
【背景技術】
【０００２】
浴室ユニット等で使用され排出される排水には、少なくとも浴槽からの排水と洗い場からの排水との２系統がある。そして、これらを排水する排水管には、排水管からの臭気やガスが浴室内へ浸入するのを防ぐために、排水トラップが設けられる。
【０００３】
通常この２系統の排水管は、部材数を減らしてコストを削減し、且つメンテナンスも容易とすべく、排水トラップを浴槽排水のトラップと洗い場排水のトラップとを兼ねる形式のものとして、この排水トラップにおいて１本に統合される。
【０００４】
このような従来型排水トラップの一例を、図１１に示す。図１１は、従来型の排水トラップ１１０の縦断面を示すものである。排水トラップ１１０は、防水パン１０２の排水凹部１３０下面側に、この防水パン１０２から下方に突出するように取り付けられている。
【０００５】
排水トラップ１１０は、トラップ本体１１１と、カバー部１１２と、取付フランジ１１３と、封水筒１１４と、ヘアキャッチャ１１５と、Ｕパッキン１１６と、パッキン１１７とから構成される。
【０００６】
トラップ本体１１１には、下部側中央に所定高さの封水溜１１１ａが形成されるとともに、この封水溜１１１ａの下部に連通するように、浴槽載置部１０４からの排水を集める排水エルボ１２０が連通管１２３を介して接続される浴槽排水取水口１１１ｂが形成されている。
【０００７】
また、トラップ本体１１１には、封水溜１１１ａの上方側と連通するように、排水口１１１ｃが形成されている。そして、このトラップ本体１１１上部には、中央に開口部が形成されたカバー部１１２が取り付けられている。
【０００８】
取付フランジ１１３は、上端側のフランジ部１１３ａが、排水凹部１３０の開口部に取り付けられたＵパッキン１１６上に設置された状態で、中央部がカバー部１１２の開口部を介して、トラップ本体１１１内に落とし込まれており、下部側の開口周りに、トラップ本体１１１の封水溜１１１ａに差し込まれる封水筒１１４がパッキン１１７を介して支持されている。
【０００９】
ヘアキャッチャ１１５は、多数の小開口が形成されていて、この排水トラップ１１０の排水流入口となるものであり、取付フランジ１１３の上部に、上面がフランジ部１１３ａの上面と略面一になった状態で、載置されている。
【００１０】
一方、排水エルボ１２０は、そのフランジ面１２１が防水パン１０２に形成された排水エルボ取付用開口１２５中に嵌め込まれ、フランジ面１２１の浴槽排水孔１２１ａは、浴槽１０７の排水孔１０７ｂと排水金具１２２を介して接続される。排水エルボ１２０の、フランジ面１２１と反対側の端部は、排水トラップ１１０のトラップ本体１１１の側面の浴槽排水取水口１１１ｂに接続されている。
【００１１】
次に、この従来型の排水トラップ１１０における排水の流れについて説明する。洗い場１０３で生じた排水は、図１１中Ｗ１で示すように、排水凹部１３０に集められ、排水トラップ１１０のヘアキャッチャ１１５と封水筒１１４とを経由して、トラップ本体１１０の封水溜１１１ａに溜められた後、この封水溜１１１ａの上端Ｅ側からオーバーフローすることにより、排水口１１１ｃから排水管１２４によって浴室外に排出される。
【００１２】
また、浴槽１０７中の排水は、図１１中Ｗ２で示すように、排水孔１０７ｂから排水金具１２２を介して、排水エルボ１２０に集められた後、連通管１２３を経由して、排水トラップ１１０の封水溜１１１ａに流し込まれる。そして、封水溜１１１ａに流入したところで封水筒１１４に行く手を遮られて直進できず、封水筒１１４の下及び側面外側へ迂回した後、封水筒１１４側面外側に沿って上昇し、封水溜１１１ａの上端Ｅ側からオーバーフローするという迂遠な経路を辿ることにより、排水口１１１ｃから排水管１２４によって浴室外に排出される。
【００１３】
ところで、浴槽からの排水は１回の排水量が多く、比較的長時間を要することから、できるだけ短時間で排水を完了させたいという要求がある。しかし、従来の排水トラップでは、上述したように、封水筒及び封水溜から成る溜水部が障害となってこれを妨げている。
【００１４】
この問題を解決する最も簡単な方法は、浴槽排水と洗い場排水とを別経路とすることであるが、これは確実にコストの上昇に繋がり採用するを得ない。また、下流側の排水口のサイズ及び排水管経路の管径は一般的に決まっており、容易に管径を拡大することはできない。
【００１５】
そこで、高速排水を実現させるものとして、一つの排水トラップの中で、洗い場排水の溜水部とは別個に浴槽排水の溜水部を設け、浴槽排水の流路を洗い場排水の溜水部から回避させて高速排水を確保する構成が考えられる。
【００１６】
高速排水を意図したものではないが、このような構成としたものが提案されている。一つは、浴槽排水用溜水部を洗い場排水用溜水部の上流側に設けたものである（例えば、特許文献１参照。）。しかしながら、この構成では、洗い場排水用溜水部が浴槽排水の流路を遮って高速排水ができないばかりか、他の溜水部を通過させないという意図に反して通過してしまい、洗い場排水が浴槽側へ逆流することは防止できても浴槽排水が洗い場側へ逆流することは防止できないという問題がある。
【００１７】
他に、浴槽排水用溜水部を洗い場排水用溜水部の下流側に設けたものがある（例えば、特許文献２参照。）。しかしながら、この構成では、封水溜に切開された洗い場排水用の欠切部が狭いため洗い場排水性能が著しく低下する、或いは、排水口を洗い場排水流路と浴槽排水流路とに完全に分離するためそれぞれの流路の断面積が小さくなり、洗い場排水と浴槽排水の双方において排水速度がむしろ低下するという問題がある。
【特許文献１】特開２００４−４４３１８号公報（第５頁、図１）
【特許文献２】特開２００４−３６１４４号公報（第６−７頁、図１、図４）
【発明の開示】
【発明が解決しようとする課題】
【００１８】
本発明は、上述した事情を考慮してなされたもので、浴槽排水と洗い場排水との双方を処理しつつ、浴槽排水を高速に排水する排水トラップを提供することを目的とするものである。
【課題を解決するための手段】
【００１９】
本発明に係る排水トラップは、上述した課題を解決するために、請求項１に記載したように、洗い場からの排水及び浴槽からの排水をそれぞれ別経路で集水するトラップ本体と、流入した排水を外部に排水する排水主管に接続される排水口とを有する排水トラップにおいて、上部に開口し洗い場の排水を導入する流入口と、該流入口から垂下する上下端開放筒状の封水筒と、該封水筒に外嵌遊挿される封水ボウルとを備える洗い場溜水部と、上記トラップ本体側面の上記洗い場溜水部よりも下流側に設けられ、上記浴槽からの排水を送水する浴槽排水管と接続される取水口と、流入した浴槽排水を該取水口から上記排水口へ誘導する浴槽排水流路を形成する浴槽排水部とを備えるものである。
【００２０】
好適には、前記浴槽排水部は、請求項２に記載したように、浴槽排水の動圧に付勢されて浴槽排水の前記流路を開放状態に置いて浴槽排水を前記排水口へと誘導し、浴槽排水が終息すると消勢されて浴槽排水流路を閉鎖状態に復帰させる流路開閉機構を備え、閉鎖状態において前記浴槽排水管内に排水が滞留する溜水部を形成するとともに前記洗い場排水の逆流を防止するよう構成される。
【００２１】
より好適には、前記浴槽排水部は、請求項３に記載したように、前記浴槽排水流路側面に、該浴槽排水流路内の浴槽排水を流路外へ分流させる分流孔を備える構成とすることができる。これにより、トラップ本体内の封水が切れることを防止し、封水面を確保することができる。
【００２２】
特に、上述した流路開閉機構を備えるものにあっては、請求項４に記載したように、前記分流孔は、閉鎖時における前記流路開閉機構の下流側に備えられる。
【００２３】
一方、上記浴槽排水部及び前記封水ボウルは、請求項５に記載したように、着脱自在に取着されるように構成してもよい。
【００２４】
また、前記流路開閉機構は、請求項６に記載したように、閉鎖時において排水中に浸漬状態に置かれるよう構成することもできる。
【発明の効果】
【００２５】
本発明に係る排水トラップによれば、浴槽排水と洗い場排水との双方を処理しつつ、浴槽排水を高速に処理することができる。
【００２６】
本発明は、流路の方向を何度も変更することも、流路の断面積が小さくなることもなく、直接外部へと放出されるので、高速排水を実現することができる効果が得られる。
【発明を実施するための最良の形態】
【００２７】
本発明に係る排水トラップの実施の形態について、添付図面を参照して説明する。図１は、本実施形態に係る排水トラップ１０を備える浴室ユニット１の配置関係を示す概略平面図である。
【００２８】
浴室ユニット１の床は、樹脂材によって一体成型された防水パン２により形成され、その一方に浴槽７が載置され、残余の部分は入浴者が体を洗える洗い場３となっている。
【００２９】
洗い場３は、外周上縁が同一高さに形成され、排水の流れる床面が、防水パン２の外縁部近傍にあって洗い場３の最下部に設けられた排水凹部３０に向かって、すり鉢状に下るように傾斜された流水面Ｓ１となっている。
【００３０】
排水凹部３０は、洗い場３の凹陥部を形成し、排水トラップ１０は、この排水凹部３０において、防水パン２の裏面に突出して吊設される。洗い場排水は、流水面Ｓ１を下って排水トラップ１０の頂部に設けられた流入口（図示せず）から排水トラップ１０内に流入する。排水凹部３０には、通常、頂部にトラップカバー３１が載置されて掩蔽される。
【００３１】
鉢状の浴槽７の最下部には、排水孔７ｂが穿設され、図示しない排水金具を介して排水エルボ２０の一方の端部を施蓋するフランジ部２１に接続される。排水エルボ２０の他方の端部には、浴槽排水を排水トラップ１０へと連通する浴槽排水管２３が接続されている。
【００３２】
この浴槽排水管２３は、排水トラップ１０側面の、流入口より下流側において排水トラップ１０に接続され、この浴槽排水管２３を経由してきた浴槽排水は、洗い場排水同様、排水主管２４から浴室ユニット外へ排出される。
【００３３】
以下、排水トラップの全体構成を、図を参照して説明する。排水トラップ１０は、図２及び図３に示すように、トラップ本体１１と、カバー部１２と、取付フランジ１３と、封水筒１４と、ヘアキャッチャ１５と、Ｕパッキン１６と、封水ボウル１７と、パッキン１８と、浴槽排水部４０とから構成されている。
【００３４】
トラップ本体１１は、上部が開口した略円筒状の容器であり、下部側中央やや前方に所定高さの封水ボウル１７が載置されるとともに、この封水ボウル１７よりも下流側の、トラップ本体１１側面に、浴槽７からの排水を集める浴槽排水管２３が接続される浴槽排水取水口１１ｂが形成されている。これは、浴槽排水が封水ボウル１７が障害となって流れが阻害されることを回避するためである。また、上部の開口は、洗い場３からの排水が流入する取水口となっている。
【００３５】
また、トラップ本体１１には、封水ボウル１７の上方側と連通するように、排水口１１ｃが形成され、排水主管２４が接続されている。さらに、略円筒状のトラップ本体１１上部には、中央やや上流側の開口部周りに雌ねじ部１２ａが形成されたカバー部１２が取り付けられている。
【００３６】
このトラップ本体１１上部には、封水筒１４を排水凹部３０から吊設するための取付フランジ１３が載置される。取付フランジ１３は、外周にねじが螺刻された短い円筒状の雄ねじ部１３ａと、この雄ねじ部１３ａの上部から外方略水平に延出するフランジ部１３ｂと、雄ねじ部１３ａの中段に取付フランジ１３の開口周りに突出する環状の当接面部１３ｃとから形成される。
【００３７】
取付フランジ１３は、図３に示すように、上端側のフランジ部１３ｂが、排水凹部３０の開口縁部に取り付けられたＵパッキン１６に載置された状態で、中央部がカバー部１２の開口部を介して、トラップ本体１１内に落とし込まれており、排水凹部３０に係止され、トラップ本体１１の封水ボウル１７に差し込まれる封水筒１４の環状部１４ｂが当接面部１３ｃ上に係止されている。したがって、排水トラップ１０は、取付フランジ部１３の雄ねじ部１３ａをカバー部１２の雌ねじ部１２ａにねじ込んで、取付フランジ１３のフランジ部１３ｂと、カバー部１２とでＵパッキン１６を加圧することにより、防水パン２に取り付けられる。
【００３８】
封水ボウル１７は、有底円筒状に形成され、封水筒１４と協働して洗い場排水の溜水部を構成するものである。本実施形態では、封水ボウル１７は、トラップ本体１１から着脱自在に取着される。これは、後述する、やはり着脱自在に取着される浴槽排水部４０を、取付フランジ１３の開口から出し入れ可能とするためである。
【００３９】
この封水ボウル１７は、トラップ本体１１底面に、封水ボウル１７に外接するリング状に突設された突条等に案内されて所定の位置に載置される。この突条に代えて、この突条の一部となる複数の突起を立設する等により、封水ボウル１７を所定の位置に載置するようにしてもよい。
【００４０】
封水筒１４は、図３及び図４に示すように、上下に開口した筒状部１４ａの下端が封水ボウル１７内に配置されるとともに、上端側に筒状部１４ａ上端部から拡開された環状部１４ｂと、該環状部１４ｂの下方となる位置であって、筒状部１４ａの側面に複数箇所設けられた鍔１４ｄ、及び環状部１４ｂの下面に貼着された環状のパッキン１８より形成される。
【００４１】
また、環状部１４ｂ上面には、封水筒１４を回動操作して取付フランジ１２に固設させるため、及びヘアキャッチャ１５を所定の位置に取り付けるための柱状突起１４ｃが複数立設される。
【００４２】
ヘアキャッチャ１５は、封水筒１４の環状部１４ｂ頂部に載置される外環部１５ａ内に、網部１５ｂが形成され、網部１５ｂの中央部には、円筒状の内環部１５ｃが立ち上がっている。また、外環部１５ａには、封水筒１４の柱状突起１４ｃに外嵌可能な形状を有する、柱状突起１４ｃと同数の外環欠切部１５ｄが設けられ、この外環欠切部１５ｄを封水筒１４の柱状突起１４ｃに外嵌して落とし込むことにより、ヘアキャッチャ１５は位置ずれを起こすことなく排水トラップ１０に取り付けられる。
【００４３】
このヘアキャッチャ１５は、取り外しのための抓み部１５ｅを備え、この抓み部１５ｅは、指で抓み易いように、外環１５ａ上に外方へ指向する略涙の形状を有する板材で形成される。
【００４４】
そして、ヘアキャッチャ１５と封水筒１４とは、洗い場排水の排水トラップ１９への流入口を構成する。
【００４５】
浴槽排水部４０は、封水ボウル１７と、排水口１１ｃとの中間に設置され、大別して、下方の浴槽溜水部４１と、上方のノズル部４２とから構成される。メンテナンスのためには浴槽排水部４０は取り外し可能とすることが望ましく、より好適には、浴槽溜水部４１及びノズル部４２も、分解可能とすることが望ましい。
【００４６】
浴槽溜水部４１は、図４の分解斜視図に示すように、上部が開口した容器本体４１ａと、浴槽排水取水口１１ｂに内嵌される接続部４１ｂとから構成され、接続部４１ｂの外周には漏水防止及び気密性確保のためのパッキン４１ｃが周設される。
【００４７】
ノズル部４２は、フレーム４４と、可動壁４５とから構成される。フレーム４４は、容器本体４１ａ上に載置され、容器本体上部の開口と連通して浴槽排水開口Ｙを形成する枠状の基板４４ａと、この基板４４ａの両側面に立設される側板４４ｂ，４４ｂと、側板４４ｂ，４４ｂを頂部において連結する天板４５ｃとから形成される。側板４４ｂ，４４ｂには、ノズル部４２内部の排水流の一部を外部へ分流させるための分流孔４４ｄが穿設される。このように形成されたフレーム４４は、上述した浴槽排水開口Ｙの外、封水ボウル１７上部と対向する洗い場排水開口Ａと、排水口１１ｃと対向する排水口開口Ｈとを形成する。
【００４８】
可動壁４５は、浴槽排水開口Ｙより一回り大きな板状部材であり、封水ボウル１７側端部を定着された固定端とし、排水口１１ｃ側を、浴槽排水開口Ｙと洗い場排水開口Ａとの間で遊動自在な自由端として、基板４４ａに取設される。この可動壁４５は、例えば、ゴムやエラストマーのような柔軟な部材であっても、硬質な樹脂製の部材であってもよい。後者の場合、基板４４ａの封水ボウル１７側端部において回動自在に軸支されることになる。
【００４９】
可動壁４５は、浴槽からの排水がないときは、その自重により基板４４ａ上に横臥して浴槽排水開口Ｙを掩蔽し、洗い場排水開口Ａと排水口開口Ｈとを連通させる。ところが、浴槽からの排水があると、浴槽排水の動圧に付勢されて自由端が洗い場排水開口Ａ側へと変位して、浴槽排水開口Ｙを開放する一方、洗い場排水開口Ａを掩蔽し、浴槽排水開口Ｙと排水口開口Ｈとを連通させる。
【００５０】
このように、本実施形態における可動壁４５とこれが取設されるフレーム４４とは、排水口を指向して排水を吐出するノズルの役割を果たす外、洗い場からの排水と浴槽からの排水とを切り替え、本発明に係る流路開閉機構を形成する。
【００５１】
図５は、浴槽排水部４０を取り外した状態の排水トラップ１０を示すものであり、浴槽排水取水口１１ｂが容器本体４１の接続部４１ｂと接続する部分を見ることができる。
【００５２】
本実施の形態に係る排水トラップ１０は上記のように構成されており、以下この排水トラップ１０内における排水の流れについて説明する。
【００５３】
まず、浴槽排水時における排水の流れを、図６及び図７を参照して説明する。浴槽排水時においては、浴槽７から浴槽排水管２３を経由して浴槽排水取水口１１ｂに取り込まれた浴槽排水は、容器本体４１内に流入し、その流れが上向きに変更される。
【００５４】
このとき、可動壁４５の自由端は、浴槽排水の動圧に付勢されて洗い場排水開口Ａ側へと変位して、浴槽排水開口Ｙを開放する一方、洗い場排水開口Ａを掩蔽する。これにより、浴槽排水の流路が唯一に確保され、排水の圧力が分散することなく、浴槽排水は排水口開口Ｈを経由して排水口１１ｃへと吐出され、排水主管から浴室ユニット１外部へと放出される。
【００５５】
このように、浴槽排水は、洗い場溜水部を経由することなく、すなわち、流路の方向を何度も変更することも、流路の断面積が小さくなることもなく、直接外部へと放出されるので、高速排水を実現することができる。
【００５６】
しかし、排水トラップ１０から浴室ユニット１外部へと下降する排水主管２４が満水状態で流れると、サイホン作用により吸引されて、封水が切れる虞がある。
【００５７】
そのため、側板４４ｂ，４４ｂに穿設された分流孔４４ｄ，４４ｄから、浴槽排水の一部を分流させて排水トラップ内に滞留させると、排水主管２４が満水状態で流れても洗い場排水の溜水が吸引されることなく、封水が切れることを防止することが可能となる。この場合であっても、分流孔４４ｄの断面積は排水口開口Ｈの断面積に比べて十分小さいので、浴槽排水が洗い場側へ逆流することはない。
【００５８】
浴槽の排水が終息すると、可動壁４５の自由端を洗い場排水開口Ａ側へ変位させた付勢が解除されるので、可動壁４５の自由端は自重により浴槽排水開口Ｙ側へと変位して、浴槽排水開口Ｙ上に横臥してこれを掩蔽する。
【００５９】
これにより、浴槽溜水部４１及び浴槽排水管２３内には、排水主管２４の排水に引っ張られることなく排水が残り、これにより浴槽排水の溜水部が形成され、浴槽内にガスや臭気が流入することが防止される。また、洗い場で排水が生じても、浴槽排水開口Ｙは可動壁４５により掩蔽されているので、洗い場排水が浴槽側へ逆流することもない。
【００６０】
次に、洗い場排水時における排水の流れを、図８及び図９を参照して説明する。洗い場排水時においては、洗い場排水は、図８に示すように、ヘアキャッチャ１５、封水筒１４を経由してトラップ本体１１の底部まで流れ落ちた後向きを変えて、封水筒１４と封水ボウル１７との間を上昇して遂には封水ボウル１７上端Ｅを越えて封水ボウル１７外へ溢れ出す。
【００６１】
そして、その水位がノズル部４２の基板４４ａより高くなると、図９に示すように、洗い場排水は、ノズル部４２内の洗い場排水開口Ａ、及びノズル部４２外の両側面を経由して排水口１１ｃへと流出し、排水主管から浴室ユニット１外部へと放出される。
【００６２】
このときも、排水口１１ｃは、予め浴槽排水用、洗い場排水用と分割されていないので、管径の断面積全体を有効利用して排水することができる。また、浴槽排水開口Ｙは可動壁４５により掩蔽されているので、洗い場排水が浴槽側へ逆流することはない。さらに、洗い場排水は、通常流量も多くないので、排水が滞留して洗い場側へ逆流することもない。
【００６３】
浴槽排水と洗い場排水とが同時に行われる場合は、上述から明らかなように、浴槽排水は、ノズル部４２内の洗い場排水開口Ａを、洗い場排水はノズル部４２外の両側面を経由して排水口１１ｃへと流出し、排水主管から浴室ユニット１外部へと放出される。このとき、浴槽排水の圧力は洗い場排水のそれより十分大きいので、可動壁４５の自由端が洗い場排水により、洗い場排水開口Ａ側から浴槽排水開口Ｙ側へと押し戻されることはない。
【００６４】
このように、浴槽排水用経路と洗い場排水用経路とをその排水の動圧により自動的に切り替えて排水を排出するので、浴槽排水及び洗い場排水の何れの場合にも、排水主管２４の管径の断面積全体を有効利用して排水することができる。
【００６５】
なお、斯かる流路開閉機構は、浴槽排水開口Ｙが封水ボウル１７の天端より高い位置にあっても、また低い位置にあっても機能する。したがって、可動壁４５が常時溜水中に浸浸した状態にあるか否かに影響されない。
【００６６】
次に、本実施形態に係る排水トラップの変形例について、図１０を参照して説明する。本変形例の排水トラップ１０Ａは、図１０に示すように、ノズル部４２の基板４４ａの四囲に立ち上がり４６が立設される点で、本実施形態におけるものと基本的に相違し、他の構成は本実施形態と実質的に同じであり、同じ符号を付して説明を省略する。
【００６７】
このように立ち上がり４６が立設されると、可動壁４５が浴槽排水開口Ｙ上に横臥している状態で洗い場排水があれば、一部が立ち上がり４６で囲繞された領域内に残存して、可動壁４５は浸漬された状態に置かれることになる。
【００６８】
排水トラップ１０Ａは、排水口１１ｃにおいて排水主管２４と連通しているので、溜水部の下流には、例えば硫化水素等のガスが充満していることがある。この場合、可動壁４５が例えばゴム製であれば、このガスに浸食される可能性があるが、排水に浸漬されていれば、ガスに直接接することが少なくなり、このような被害を防止することができる。
【００６９】
また、このような立ち上がり４６がなければ、可動壁４５の下面は湿潤状態であるのに対し、上面は乾燥状態となり、ゴム等の材料には、そり、歪み等が発生して好ましくない。しかし、水に浸漬されていれば、両面を浸潤状態に保つことができるので、このような劣化を防止することが可能となる。
【００７０】
なお、可動部４５を浸漬させることができるものであれば、立ち上がりを形成する方法に限られない。
【００７１】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００７２】
例えば、図１１に示すように、封水ボウル１７を、両端開放の円筒状に形成することができる。この場合、封水ボウル１７Ａ下部の内周に螺刻されたねじと、トラップ本体１１の底面に突設されたリング状の突条１１ｄの外周に螺刻されたねじとを螺合させて、封水ボウル１７Ａを固定する。
【００７３】
或いは、図１２に示すように、トラップ本体１１に封水ボウル１７の機能を果たさせる構成とすることも可能である。これにより、部材数を減らすことができ、トラップの構成がよりシンプルになる。
【００７４】
また、本実施形態においては、排水トラップの形状を略円筒状のものを例に挙げて説明したが、横断面が長円状のものであってもよい。この形状によれば、浴槽排水取水口と封水ボウルとの距離を大きくすることができ、浴槽排水に対する封水ボウルの干渉をより確実に低減させることができる。
【図面の簡単な説明】
【００７５】
【図１】本発明に係る排水トラップを備える浴室ユニットの配置関係を示す平面図。
【図２】本実施形態に係る排水トラップの構成を示す縦断面。
【図３】本実施形態に係る排水トラップの構成を示す断面斜視図。
【図４】本実施形態に係る排水トラップの浴槽排水部の分解斜視図。
【図５】排水トラップにおける浴槽排水部の取り合いを示す図。
【図６】浴槽排水時における排水の流れを説明する図。
【図７】浴槽排水時における浴槽排水部の排水の流れを説明する図。
【図８】洗い場排水時における排水の流れを説明する斜視図。
【図９】浴槽排水時における排水の流れを説明する縦断面図。
【図１０】本実施形態に係る排水トラップのノズル部に立ち上がりを設けた変形例を示す図。
【図１１】本実施形態に係る排水トラップの封水ボウルの両端を開放端にした変形例を示す図。
【図１２】本実施形態に係る排水トラップのトラップ本体に封水ボウルの機能を持たせた変形例を示す図。
【図１３】従来の排水トラップを説明する縦断面図。
【符号の説明】
【００７６】
１  浴室ユニット
２  防水パン
３  洗い場
７  浴槽
７ｂ  排水孔
１０  排水トラップ
１１  トラップ本体
１１ｂ  浴槽排水取水口
１１ｃ  排水口
１１ｄ  突条
１２  カバー部
１２ａ  雌ねじ部
１３  取付フランジ
１３ａ雄ねじ部
１３ｂ  フランジ部
１３ｃ  当接面部
１４  封水筒
１４ａ  筒状部
１４ｂ  環状部
１４ｃ  柱状突起
１４ｄ  鍔部
１５  ヘアキャッチャ
１５ａ外環部
１５ｂ  網部
１５ｃ  内環部
１５ｄ  外環欠切部
１５ｅ  抓み部
１６  Ｕパッキン
１７  封水ボウル
１８  パッキン
２０  排水エルボ
２１  フランジ面
２３  浴槽排水管
２４  排水主管
３０  排水凹部
３１  トラップカバー
４０  浴槽排水部
４１  浴槽溜水部
４１ａ  容器本体
４１ｂ  接続部
４１ｃ  パッキン
４２  ノズル部
４４  フレーム
４４ａ  基板
４４ｂ  側板
４４ｃ  天板
４４ｄ  分流孔
４５  可動壁
４６  立ち上がり
Ａ  洗い場排水開口
Ｅ  封水ボウル上端
Ｈ  排水口開口
Ｙ  浴槽排水開口
【図１】
2005314997.tif 000003
【図２】
2005314997.tif 000004
【図３】
2005314997.tif 000005
【図４】
2005314997.tif 000006
【図５】
2005314997.tif 000007
【図６】
2005314997.tif 000008
【図７】
2005314997.tif 000009
【図８】
2005314997.tif 000010
【図９】
2005314997.tif 000011
【図１０】
2005314997.tif 000012
【図１１】
2005314997.tif 000013
【図１２】
2005314997.tif 000014
【図１３】
2005314997.tif 000015